(57)【特許請求の範囲】
【請求項１】
それぞれの管理ドメイン中のネットワークエレメントを管理するように構成された通信ネットワークのサブネットワークマネージャ（３）に送られる警報をフィルタリングする方法において、
前記警報が、入ってくるリンク上のネットワークエレメント（１．１−１．６）により受信される信号に応じて生成される二次（ＡＩＳ）警報であるかどうかを決定するステップ（１１）と、
前記警報が二次警報でない場合、さらなる処理のために前記警報を送るステップ（１５）と、
前記警報が二次警報である場合、前記入ってくるリンクの上流側終端点をサーチし（１２）、前記上流側終端点がサブネットワークマネージャの管理ドメイン中にあるかどうかを決定する（１３）ステップと、
前記上流側終端点が管理ドメイン中にある場合、前記警報をブロックする（１４）ステップと、
前記上流側終端点が管理ドメイン中にない場合、さらなる処理のために前記警報を送る（１５）とを有する
ことを特徴とする方法。
【請求項２】
前記方法がサブネットワークマネージャ内で実行される
ことを特徴とする請求項１記載の方法。
【請求項３】
二次（ＡＩＳ）信号は、警報が生成されたことに応答して前記信号を受信したリンク終端点を同定するデータを含み、前記入ってくるリンクの上流側終端点をサーチするステップは、サブネットワークマネージャにより保持されるテーブル（６）からリンクデータを検索するために、前記リンク終端点を同定するデータを使用するステップを含む
ことを特徴とする請求項２記載の方法。
【請求項４】
前記ネットワークは、同期デジタル階層（ＳＤＨ）ネットワークである
ことを特徴とする請求項１ないし３のいずれかに記載の方法。
【請求項５】
前記ネットワークが同期光網（ＳＯＮＥＴ）である
ことを特徴とする請求項１ないし３のいずれかに記載の方法。
【請求項６】
前記ネットワークが、管理ドメイン内にある終端点および管理ドメイン内にない終端点を有する少なくとも１つの仮想接続を含む
ことを特徴とする請求項１ないし５のいずれかに記載の方法。
【請求項７】
当該サブネットワークマネージャは、それぞれの管理ドメイン中のネットワークエレメントを管理するように構成され、かつ請求項１ないし６のいずれかに記載の方法を実行するように構成された手段（４，５）を含む
ことを特徴とする通信ネットワークのためのサブネットワークマネージャ。
【請求項８】
請求項７記載のサブネットワークマネージャを含む通信ネットワーク。
【発明の詳細な説明】
【０００１】
【発明の属する技術分野】
本発明は、同期デジタル階層（ＳＤＨ）および同期光網（ＳＯＮＥＴ）システムのような通信システムにおいて警報表示信号（ＡＩＳ）をフィルタリングする方法に関する。
【０００２】
【従来の技術】
ＳＤＨ（同期デジタル階層）またはＳＯＮＥＴ（同期光網）のような通信システムにおいて故障が発見された場合、故障を検出したネットワークエレメントから警報が発せられ、システムが影響を受けるリンクおよび／またはネットワークエレメントを通して信号が経路選択されることを防止するように再構成され、正常な通信を復旧するためにアクションがとられ得るように、そのネットワークエレメントを警報の源として同定する。例えば、ネットワークエレメントは、リンク上の信号の喪失を検出し、ＬＯＳ（信号喪失）警報を生成することができる。警報は、ネットワークエレメントマネージャに送られる。
【０００３】
そのようなシステムはいくつかの物理リンク（「レイヤ階層」として知られる）を通過する仮想接続を含むので、故障の下流側のネットワークエレメントから二次警報（警報表示信号（ＡＩＳ）警報）を生成する必要がある。したがって信号喪失を検出するネットワークエレメントは、特性信号（ＡＩＳ信号）を信号喪失が検出された下流のネットワークエレメントに通知するために、そのダウンストリームリンクに沿って送る。
【０００４】
ＡＩＳ信号は、一連の「１」ビットのような認識可能なパターンからなる。そのようなＡＩＳ信号を受信するネットワークエレメントは、エレメントマネージャに送られるＡＩＳアラームを生成する。ネットワークエレメントマネージャは、警報をサブネットワークマネージャに送る。これらの二次警報信号の生成は、信号故障が、大部分多くの二次警報信号になりうることを意味する。
【０００５】
多くのルートがトラックのいずれか１つの区分を通過し、かつ各ルートがトラックの多くのセクションを通過するレールウェイネットワークと似ている。したがって、トラックの１つの区分がダメージを受けると、これは、様々なルートに沿う多くのステーションに影響を与える。トラックの１つのダメージを受けた区分は、したがって、多くのステーションにおいてアナウンスメントをする。
【０００６】
これらの二次（ＡＩＳ）警報は、必須の機能を実行するが、これらは、１つの故障の結果としてあまりにも多くの警報を生じるというサブネットワークマネージャの観点からの問題も生じる。サブネットワークマネージャは、故障の重要性を報告かつ保持し、システム構成のマップを維持する必要があるが、単一の故障により少ない信号が対応するように、より好ましくは、１故障当たり１つの信号となるように、システムを通して特定のメッセージを経路選択することに関与しない。
【０００７】
しかし、エレメントマネージャは、ネットワークエレメントを個別のエレメントとしてのみ取り扱い、サブネットワークマネージャが必要とする信号とサブネットワークマネージャが必要としない信号との間を区別するハイレベル情報を有さず、したがって、エレメントマネージャは信号を全てサブネットワークマネージャに送らなければならない。故障はサブネットワークマネージャのドメイン（それが制御するネットワークの部分）の動作に影響を与えるが、一次信号の源はサブネットワークマネージャのドメイン中には多分ないので、ＬＯＳ警報のような一次的、ルートコーズ（ｒｏｏｔ  ｃａｕｓｅ）警報を端に送り、二次（ＡＩＳ）警報を引き留めるだけでは十分ではない。
【０００８】
【発明が解決しようとする課題】
したがって、サブネットワークマネージャが必要とする二次（ＡＩＳ）警報とサブネットワークマネージャが必要としない二次（ＡＩＳ）警報とを区別する方法が必要とされている。
【０００９】
【課題を解決するための手段】
本発明によれば、請求項１に示された二次警報信号をフィルタリングする方法が提供される。
【００１０】
サブネットワークマネージャはネットワークドメインの接続性についての情報を有するので、これは、警報を発するネットワークエレメントが管理されるドメインのエッジ上にあるかどうかを決定することができる。アップストリームリンクが管理されるドメイン中にない終端点により終端される場合、警報が通過させられる。上流側リンクが管理されるドメイン中にある終端点により終端される場合、警報はブロックされる。したがって、通過させられる二次警報は、外部からそのドメインに入ってくる信号に応答して生成されたもののみである。
【００１１】
【発明の実施の形態】
図１は、ＳＤＨまたはＳＯＮＥＴタイプのネットワークのような通信ネットワークの一部に接続された多数のネットワークエレメント１．０−１．６を示す。ネットワークエレメントは、それぞれ、入ってくる信号を経路選択するために必要とされる全ての機能を含むが、それらは、ネットワークのトポロジーについての情報を有さず、したがって、信号を正しいダウンストリームエレメントに経路選択するように、ネットワークエレメントはそれらを構成するための制御のより高いレベルに依存しなければならない。
【００１２】
ネットワークエレメント１．１−１．６は、ネットワークエレメントを個々のユニットとして取り扱うエレメントマネージャ２により制御されかつ監視される。即ち、エレメントマネージャ２はネットワークトポロジーの情報を有しないが、ネットワークエレメントがどのタイプの機器を含むかおよびそれらを再構成するためにどのような信号の交換が必要であるかという個々のネットワークエレメントの情報を有する。エレメントマネージャ２に６個のみのネットワークエレメントが接続されるものとして示されているが、典型的なネットワークにおいて、２００個のオーダーのネットワークエレメントが１つのエレメントマネージャにより制御される可能性がある。
【００１３】
ネットワークエレメント間の接続リンクは、１６×６３＝１００８個のオーダーのチャネルを運ぶことができる光ファイバリンクを含みうる。これらのチャネルの多くは、仮想接続の一部として構成される。仮想接続は、ネットワークに直接に接続されないエンドポイント間の接続を提供するように構成されたチャネルの半永久的構成である。実際、仮想接続のエンドポイントは、ネットワークの異なる部分であり、異なるサブネットワークマネージャにより管理されうる。
【００１４】
エレメントマネージャは、そのドメイン中のネットワークの区分を、エンドツーエンド接続を形成する１組のリンクとして制御するサブネットワークマネージャ３に接続されている。これを行うために、そのドメイン中のネットワークの部分のトポロジーの情報を有しかつどのリンクまたはネットワークエレメントがノンオペラティブであるかのマップを維持することが、必要とされるエンドツーエンド接続を維持しつつ、それらを防止するためにネットワークを再構成できるように、必要である。したがって、ネットワークのある部分の機能しないことを示すネットワークエレメントにより発せられる警報を受信することが必要である。
【００１５】
図１は１つのみのエレメントマネージャ２がサブネットワークマネージャ３に接続されていることを示すが、１０個までのエレメントマネージャが単一のサブネットワークマネージャに接続することが現在意図されている。そして、単一のサブネットワークマネージャが、その管理ドメイン中の２００ないし２０００個のオーダーのネットワークエレメントをどこかに有することができる。
【００１６】
サブネットワークマネージャ３は、本発明のフィルタリング方法を含むその機能を実行するように構成されたプロセッサ４およびメモリ５を含む。メモリ５には、管理されるドメイン中のネットワークエレメント１．１−１．６に接続されたリンクについての情報を含むテーブル６が含まれる。
【００１７】
サブネットワークマネージャは、ネットワーク全体のためのマネージャに達する図示しないより高レベルのマネジャーに接続されている。
【００１８】
ネットワークエレメント１．１からネットワークエレメント１．３に走るリンクがダメージを受け、機能しなくなると、ダウンストリームネットワークエレメント１．３は、信号喪失を検出し、ＬＯＳ警報をエレメントマネージャ２に送る。このような警報はネットワークに対して利用可能な複数のリンクに影響を与えるので、エレメントマネージャ２はそれらを、機能しているリンクおよび機能してないリンクのそのマップを維持することを必要とするサブネットワークマネージャ３に送る。
【００１９】
影響を受けるリンクは、多くの仮想接続の一部であり得るので、１．３以外のネットワークエレメントがそのリンクに対するダメージにより影響を受け、ネットワークエレメント１．３は、ＡＩＳ信号（例えば、「１」桁のストリングまたは他の認識可能な信号）を生成し、それをダウンストリームリンク上に送り出す。
【００２０】
ＡＩＳ信号を受信するダウンストリームネットワークエレメントは、ＡＩＳ警報をそれらのエレメントマネージャに送信し、それらのエレメントマネージャは、ＬＯＳ警報を送るエレメント１．３のエレメントマネージャ２と同じでない可能性がある。エレメントマネージャは、ＡＩＳ警報をサブネットワークマネージャに送り、サブネットワークマネージャは、元のＬＯＳ警報を受信したものと同じサブネットワークマネージャ３でない可能性がある。
【００２１】
警報は、それらがどのタイプの警報（例えば、ＬＯＳまたはＡＩＳ）であるか、およびどの終端点が警報を生成したかを同定する情報を含む。したがって、元のＬＯＳ警報の場合、警報は、それ自体をＬＯＳ警報として同定し、エレメント１．１からエレメント１．３へのリンクの終端点を同定する。これは、サブネットワークマネージャ３が、そのマップ、即ち機能しなくなったと同定された特定のリンクであるという情報を提供する。サブネットワークマネージャ３がこの情報を受信すると、この問題を取り扱うために必要とされる全てのものを有する。
【００２２】
ダウンストリームエレメントにより生成されるＡＩＳ警報は、いかなる新しいものも提供しない。一方、ＡＩＳ警報は、サブネットワークマネージャ３のドメインの外側の問題を生じるアップストリームの第１または唯一の表示である可能性がある。エレメントマネージャは、これが該当するかどうかを決定することができないので、全てのＡＩＳ警報を送らなければならず、これは、そのドメイン中でまたはいくつかの場合その外部で問題が生じる毎に、多くの、ときには非常に多くのＡＩＳ警報を受信する結果となる。
【００２３】
図２は、無関係なＡＩＳ警報を除去するようにそれによってサブネットワークマネージャが入ってくる警報をフィルタするプロセッサ４により実行される方法を示す。
【００２４】
警報が、ステップ１０において受信される場合、それがＡＩＳ警報であるかどうかを決定するために、ステップ１１において検査される。ＡＩＳアラームでない場合、それは関係のある情報を含んでいる可能性があるので、ステップ１５において、そのアラームは通過させられる。
【００２５】
警報がＡＩＳアラームである場合、どの終端点が警報を発したかを決定するために検査され、サブネットワークマネージャにより保持されるリンクのテーブル６が、ステップ１２において、そのリンクのアップストリーム終端点についてサーチされ、ステップ１３において、サブネットワークマネージャの管理されるドメイン中にそれがあるかどうかを決定する。それが管理されるドメイン中にない場合、例えば、アップストリーム終端点がテーブル中になく、ステップ１２のサーチが失敗した場合、警報はステップ１５において送られ、それが管理されるドメイン中にある場合、警報はステップ１４においてブロックされる。
【００２６】
我々が考えてきた場合において、管理されるリンクは、エレメント１．１からエレメント１．３に走るものである。エレメント１．３は、サブネットワークマネージャ３に送られるＬＯＳ警報を発する。このＬＯＳ警報は、それ自体をＬＯＳ警報として同定し、信号喪失を検出した終端点、即ちエレメント１．１からエレメント１．３へのリンクの終端点を同定する。これは、ＡＩＳ信号をダウンストリームにも送る。ダウンストリームエレメント、即ち、１．４が、ＡＩＳを検出した場合、エレメント１．４はＡＩＳアラームを生成し、サブネットワークマネージャ３に送る。ＡＩＳアラームは、それ自体をＡＩＳアラームとして同定し、ＡＩＳ信号を受信した終端点を同定する。
【００２７】
サブネットワークマネージャ３がＬＯＳ警報を受信するとき、これはＡＩＳ警報でないので、この警報はステップ１５において通過させられ、サブネットワークマネージャは、それを生じた問題を同定するためにそれに含まれる情報を使用して、さらに処理する。
【００２８】
サブネットワークマネージャ３がエレメント１．４からＡＩＳ警報を受信するとき、プロセッサ４は、ステップ１１において、ＡＩＳ警報として同定し、ステップ１２において、エレメント１．３からエレメント１．４へのリンクに関連すると決定し、そのリンクをテーブル６において参照する。したがって、ステップ１３において、アップストリームリンク終端点１．３が管理されるドメイン中にあると決定し、ステップ１４において、その警報をブロックし、それをさらに処理することはしない。ＬＯＳ警報と同じ問題により生じたので、ＡＩＳ警報は、いかなる追加的な情報も提供しなかったことになる。
【００２９】
一方、サブネットワークマネージャ３の管理されるドメイン中にないエレメント１．０のようなネットワークエレメントが、エレメント１．１からのもの以外のリンクにおける信号損失またはＡＩＳ信号を検出した場合、ＡＩＳ信号をネットワークエレメント１．１へ下流側に送る。ネットワークエレメント１．１は、それ自体をＡＩＳ警報として同定し、ＡＩＳ信号を受信した終端点を同定するＡＩＳ警報を生成する。
【００３０】
サブネットワークマネージャ３がこのＡＩＳ信号を受信しかつプロセッサ４がテーブル６中のリンクデータを参照するとき、アップストリームリンク終端点１．０が管理されるドメインの外側にあり、かつしたがって警報を渡すことが分かる。この場合において、警報は管理されるドメインの外側で生じた問題により生じたものであり、サブネットワークマネージャ３は、それが管理されるドメインの動作に影響を与えるものであるが、その問題を通知されることがない。したがって、プロセッサはその警報をさらに処理する必要がある。
【００３１】
エレメント１．１は、ＡＩＳ信号をエレメント１．３に下流側に送り、エレメント１．３はＡＩＳ警報を生成し、しかしこのとき、プロセッサ４はリンクデータを参照する場合、アップストリーム終端点１．１が管理されるドメイン中にあると判断し、警報をブロックし、それをさらに処理することをしない。警報は、エレメント１．１からのＡＩＳ警報中に既に含まれていないいかなる情報も含まないので、プロセッサがそれをさらに処理する必要はない。
【００３２】
したがって、図２に示された方法は、サブネットワークマネージャが、それに関係しない情報で過不可となることがないと言うことに有効である。これは単に警報についてのリンクデータを参照することによりなされ、フィルタリングプロセス自体は、サブネットワークマネージャにおけるいかなる大きな演算の負担も負わない。
【００３３】
【発明の効果】
以上説明したように、本発明によれば、サブネットワークマネージャが必要とする二次（ＡＩＳ）警報とサブネットワークマネージャが必要としない二次（ＡＩＳ）警報とを区別する方法が提供される。
【図面の簡単な説明】
【図１】本発明が具現化されうるサブネットワークのブロック図。
【図２】図１のサブネットワークマネージャがどのようにＡＩＳ警報をフィルタするかを示すフローチャート。
【符号の説明】
１．０  ネットワークエレメント
２  エレメントマネージャ
３  サブネットワークマネージャ
４  プロセッサ
５  メモリ
６  テーブル
【図１】
0003595239.tif 000002
【図２】
0003595239.tif 000003